(57)【要約】【課題】一のリモコンで複数台の電動リールを個別に遠隔操作することができる構成を開示する。【解決手段】魚釣用の電動リール本体と、該リール本体を無線により遠隔操作可能なリモコンとからなる電動リールであって、リール本体およびリモコンには予め内蔵メモリにそれぞれ複数の機器識別符号が記憶され、且つ、該機器識別符号の中から一の機器識別符号を選択設定するスイッチをそれぞれ設け、リール本体とリモコンの機器識別符号が一致した組み合わせによって上記遠隔操作を可能とした。また、リール本体には設定した機器識別符号をリモコンに通知する送信部を設けると共に、リモコンには該通知を受ける受信部を設け、さらにリモコンには同一の機器識別符号が二以上のリール本体から通知されたことを検出する判別手段を設けた。【選択図】　　　　図１
2004065071.tif 000002
【特許請求の範囲】
【請求項１】
魚釣用の電動リール本体と、該リール本体を無線により遠隔操作可能なリモコンとからなる電動リールであって、リール本体およびリモコンには予め内蔵メモリにそれぞれ複数の機器識別符号が記憶され、且つ、該機器識別符号の中から一の機器識別符号を選択設定するスイッチをそれぞれ設け、リール本体とリモコンの機器識別符号が一致した組み合わせによって上記遠隔操作を可能としたことを特徴とする電動リール。
【請求項２】
リール本体には設定した機器識別符号をリモコンに通知する送信部を設けると共に、リモコンには該通知を受ける受信部を設け、さらにリモコンには同一の機器識別符号が二以上のリール本体から通知されたことを検出する判別手段を設けた請求項１記載の電動リール。
【請求項３】
リモコンは、同一機器識別符号の検出時に、そのリール本体のシリアル番号を表示する表示パネルを備えた請求項２記載の電動リール。
【請求項４】
リール本体は、リモコンによる同一機器識別符号の検出時に稼働する発光装置または音声装置を備えた請求項２または３記載の電動リール。
【請求項５】
リール本体は、他のリール本体と機器識別符号を送受信すると共に、該不同を判別する手段を備えると共に、同判別手段による同一機器識別符号の検出時に稼働する発光装置または音声装置を備えた請求項１、２または３記載の電動リール。
【発明の詳細な説明】
【０００１】
【発明の属する技術分野】
この発明は、電動式の魚釣リールを遠隔操作する技術に係り、より詳しくは複数台の電動リールを一のリモートコントロール（本発明において、リモコンという）で操作する構成に関するものである。
【０００２】
【従来の技術】
魚釣において電動リールを用いる場合、特に漁師が釣り船に一人で乗船して業務用として使用する場合には複数台を扱うことが多い。例えば六台の電動リールを扱うとすれば、隣り合うリール同士の糸絡みを避けるために、竿は図５に示したようなＡ〜Ｆの場所に設置される。この場合、電動リールには本体に操作スイッチが設けられているので、リールの操作はそれぞれの場所で行わなければならず、非常に面倒である。しかも、漁師は一人で船の操縦、魚群探知機の操作および判別もしなければならず、頻繁に船内を移動するにも限界がある。そこで、従来の技術として、電動リール本体をリモコンで操作するという手段が採用されている。特に普及しているのは、赤外線等の空中波を利用した無線方式である。ケーブルを利用した有線方式の場合、作業の邪魔になるからである。
【０００３】
【発明が解決しようとする課題】
ところで電動リール本体を無線で遠隔操作する場合、リモコンからの操作信号が本体に認識される必要がある。その手段として、リールごとにＩＤやアドレスなどの機器識別符号を設定し、リモコンからの操作信号に機器識別符号を付加して送信することが行われている。
【０００４】
しかし従来は、リモコンとリールが一対一の関係にあったため、複数台のリールを操作しようとすれば、その台数分のリモコンを用意しなければならなかった。しかしながら、複数台のリモコンを操作すること自体、作業が繁雑で、リモコンとリールの対応関係も混乱しやすいという課題がある。また、リモコンが故障した場合、これに対応するリールを遠隔操作できなくなるという課題もある。さらに、メーカー側にとっても、リール毎に異なる機器識別符号を設定することは、製造・管理の面で不便さが残されている。
【０００５】
一方、複数台のリールに共通の機器識別符号を設定することも可能であるが、この場合、リモコン操作によって全機が稼働するといった問題があり、実用的ではない。
【０００６】
本発明は、上述した課題を解決するためになされたもので、その目的とするところは、一のリモコンで複数台の電動リールを個別に遠隔操作することができる構成を開示することである。
【０００７】
【課題を解決するための手段】
上述した目的を達成するために本発明では、魚釣用の電動リール本体と、該リール本体を無線により遠隔操作可能なリモコンとからなる電動リールであって、リール本体およびリモコンには予め内蔵メモリにそれぞれ複数の機器識別符号が記憶され、且つ、該機器識別符号の中から一の機器識別符号を選択設定するスイッチをそれぞれ設け、リール本体とリモコンの機器識別符号が一致した組み合わせによって上記遠隔操作を可能とするという手段を用いた。この手段によれば、複数のリール本体を使用する場合、それぞれに異なる機器識別符号を設定することが可能である。そして、リモコン側で随時、機器識別符号を選択変更することによって、複数あるリール本体を個別に遠隔操作することができる。
【０００８】
また、請求項２では、リール本体に設定された機器識別符号をリモコンに通知する送信部を設けると共に、リモコンには該通知を受ける受信部を設け、さらにリモコンには同一の機器識別符号が二以上のリール本体から通知されたことを判別する手段を設けるという手段を用いた。この手段は、リール本体側で誤って他のリール本体と同一の機器識別符号を設定した場合に有効である。つまり、リモコン側は二以上のリール本体について同一機器識別符号が設定されたことを判別することができ、これらリール本体の同時稼働を回避することができる。
【０００９】
さらに、請求項３では、リモコンは、同一機器識別符号の判別時に、そのリール本体のシリアル番号を表示する表示パネルを備えるという手段を用いた。この手段によれば、シリアル番号からどのリール本体が同一の機器識別符号に設定されているかを判断することができる。
【００１０】
さらにまた、請求項４では、リール本体は、リモコンによる同一機器識別符号の判別時に、稼働する発光装置または音声装置を備えるという手段を採用した。
この手段によれば、発光装置による発光または／および音声装置による発音によって、同一機器識別符号が重複して登録されたリール本体を五感的に知ることができる。
【００１１】
また、請求項５では、リール本体は、他のリール本体と機器識別符号を送受信すると共に、該不同を判別し、同一機器識別符号の判別時に、稼働する発光装置または音声装置を備えるという手段を用いた。この手段によれば、リール本体に機器識別符号の重複選択判別手段が備わっている。
【００１２】
【発明の実施の形態】
以下、本発明の好ましい実施の形態を添付した図面に従って説明する。図１は、本発明の一実施形態に係る電動リールを示したもので、１はリール本体、２はリール本体を例えば赤外線などの無線により遠隔操作するためのリモコンである。リール本体１は、スプール１ａを内蔵モータ（図示せず）によって駆動させ、あるいは切り替えレバー１ｂによってスプール駆動をハンドル１ｃ操作に切り替えることができ、また釣糸の繰り出し量や動作モードなど種々の情報を表示する液晶などの表示パネル１ｄと種々の動作を決定する操作スイッチ１ｅを備える。１ｆはリモコン２からの操作信号等を受信する受信部である。また、リモコン２にもリール本体１と同機能を有する表示パネル２ａおよび操作スイッチ２ｂが設けられており、送信部２ｃから操作信号等を発信してリール本体１を遠隔制御するように構成している。
【００１３】
こうした従来の無線による遠隔操作が可能な電動リールと何ら変わらない基本的構成に加え、本発明では、リール本体１に受信部１ｆで受信した信号を解析して上記モータ等を制御するＣＰＵ（図示せず）を内蔵すると共に、機器識別符号の選択設定スイッチ１ｇを設けている。また、リモコン２にはリール本体１の選択設定スイッチ１ｇと同機能を有する機器識別符号の選択設定スイッチ２ｄを設けている。
【００１４】
機器識別符号の選択設定スイッチ１ｇ・２ｄは、内蔵メモリに登録された複数の機器識別符号から任意の一を選択し、設定する機能を有する。例えば、内蔵メモリに１０個の機器識別符号が登録されている場合、選択設定スイッチ１ｇ・２ｄを押す度に、機器識別符号を随時変更でき、そのときの機器識別符号は表示パネル１ｄ・２ａに表示される。そして、リモコン２で設定した機器識別符号が、リール本体１で設定した機器識別符号と一致するとき、リモコン２から発信される操作信号等がリール本体１に有効に受信され、同リモコン２によってリール本体１を遠隔操作することができるようになる。
【００１５】
次に上記構成からなる電動リールの使用方法について説明する。なお、ここでは図５に示した６台分のリール本体１を一のリモコン２で別個に遠隔操作する方法について説明する。先ず、６台のリール本体１それぞれについて、機器識別符号の選択設定スイッチ１ｇを操作して、それぞれ異なる機器識別符号を設定する。次に、リモコン２については、選択設定スイッチ２ｄによって機器識別符号を操作したいリール本体１のものと一致させる。こうすることによって、機器識別符号が一致したリール本体１をリモコン２によって遠隔操作することができる。
言い換えれば、このとき機器識別符号が一致しないリール本体１はリモコン２からの操作信号等を有効に受信しない。以後、リモコン２の機器識別符号を随時変更することで、それと機器識別符号が一致するリール本体１を遠隔操作することができるのである。
【００１６】
このように、例えば使用するリール本体の台数分だけ機器識別符号を予め内蔵メモリに登録しておき、選択設定スイッチ１ｇによって各リール本体１毎に異なる機器識別符号を設定した後、リモコンの機器識別符号を選択することで、選択された機器識別符号と一致するリール本体のみを遠隔操作することができ、全機が同時稼働するとう不都合は避けられる。
【００１７】
ところで、リール本体１における機器識別符号の設定時に、仮に２台以上、同一の機器識別符号を誤って設定したとすれば、これらリール本体１はリモコン２による遠隔操作時に同時稼働することになる。使用するリール本体１の台数が増せば、こうした誤設定の機会が多くなる。そこで、本発明では次のような手段を選択的に用いることとした。即ち、図２に示したように、リール本体１には設定された機器識別符号をリモコン２に通知する送信部３を新たに設けると共に、リモコン２には受信部４を設け、機器識別符号が重複して設定されていないか判別するのである。なお、リール本体１からは機器識別符号の通知時に製造時に設定されたシリアル番号をも同時に送信するようにする。これによりリモコン２が同一機器識別符号が２台以上同時に登録されていると判別すれば、リモコン２の表示パネル２ａに警告のサインと共に、重複選択に係るリール本体１のシリアル番号を表示するようにする。これに従って、リール本体１の機器識別符号を他のリール本体１と異なるものに変更すれば、複数台のリール本体１を同時稼働させる不都合は回避される。また、上記判別時には、重複選択に係る機器識別符号への操作信号を無効として、当該重複選択に係るリール本体１の遠隔操作を不能とすることも可能である。
【００１８】
この応用として、図３に示したように、リール本体１に発光ダイオードなどの発光装置５あるいは音声装置６を設けておき、重複選択時に発光装置５を点滅あるいは点灯させる、または音声装置６から音声を発することで、使用者は重複選択に係るリール本体１を即座に見分けることもできる。発光装置５や音声装置６を駆動させる契機は、リモコン２に警告サインが表示されたときに、リモコン２に新たに設けられる判別スイッチ７を押すことによって、該リモコン２からリール本体１に判別信号を送信し、これを重複選択に係るリール本体１が受信したとき上記発光装置５または音声装置６を駆動させることが可能である。
【００１９】
その他、図４に示したように、リール本体１同士も機器識別符号を送受信できるようにしておき、互いに機器識別符号が一致するときは、その重複選択に係るリール本体１の発光装置５あるいは音声装置６が自動駆動するようにしてもよい。なお、この場合は必ずしもリモコン２とリール本体１が機器識別符号について送受信する構成を採用する必要はない。ただし、発光装置リール本体１の表示パネル１ｄにも警告のサインを表示するようにしてもよいことはもちろんである。
【００２０】
【発明の効果】
以上説明したように、本発明によれば、リール本体に予め複数の機器識別符号が登録され、これから一の機器識別符号を選択し得るようにしたので、複数台のリール本体を使用する場合に各リール本体毎に異なる機器識別符号を選択することができる。そして、リモコン側にも同様の機器識別符号選択手段を設けたので、随時機器識別符号を選択設定することによって、これと一致するリール本体のみを遠隔操作することができ、全機を同時稼働させるという不都合がない。また、リール本体およびリモコンには複数の機器識別符号が登録された共通のメモリを搭載すればよいから、製造時に各リール毎に遠隔操作用の機器識別符号を設定する必要がなく、メーカー側にとっても製造・管理が容易となる。
【００２１】
また、本発明では、リール本体側における機器識別符号の重複選択を判別できるようにしたので、仮に誤って二以上のリール本体で同一機器識別符号が選択されていたとしても、これらリール本体の同時稼働を回避することができる。さらに、当該重複選択があったことをリール本体毎のシリアル番号をもって通知するようにしたので、利用者は重複選択に係るリール本体を即座に判別できる。さらに、前記通知を発光装置や音声装置によって行うものにあっては、利用者が五感をもってより簡単に判別することができる。
【図面の簡単な説明】
【図１】本発明の一実施形態に係る電動リールの全体図
【図２】他の実施形態に係る電動リールを示した説明図
【図３】応用例を示した電動リールの説明図
【図４】さらに別の例を示した電動リールの説明図
【図５】複数台のリール本体を使用する場合の設置例を示した説明図
【符号の説明】
１　リール本体
１ａ　スプール
１ｂ　切り替えレバー
１ｃ　ハンドル
１ｄ　表示パネル
１ｅ　操作スイッチ
１ｆ　受信部
１ｇ　機器識別符号の選択設定スイッチ
２　リモコン
２ａ　表示パネル
２ｂ　操作スイッチ
２ｃ　送信部
２ｄ　機器識別符号の選択設定スイッチ
３　リール本体の送信部
４　リモコンの受信部
５　発光装置
６　音声装置
７　判別スイッチ
【図１】
2004065071.tif 000003
【図２】
2004065071.tif 000004
【図３】
2004065071.tif 000005
【図４】
2004065071.tif 000006
【図５】
2004065071.tif 000007